(57)【要約】【課題】建物壁の貫通孔から引き出された配線・配管材を壁貫通箇所において簡単に支持固定する。【解決手段】建物壁７０に形成された貫通孔７１から引き出された電線管６０を、Ｃ型鋼２０と支持部材３０とによって貫通孔７１の内面との間に隙間Ｓが形成されるように支持し、建物壁７０に固定される固定部と、Ｃ型鋼２０を保持する保持部と、を有する固定部材４０を建物壁７０に固定した。そして、固定部材４０は、Ｃ型鋼２０を建物壁７０から離間した位置で保持部に保持した。【選択図】図８
2019039517.tif 000002
【特許請求の範囲】
【請求項１】
建物壁に形成された貫通孔から配線・配管材が引き出され、
引き出された前記配線・配管材は、配線・配管材支持具により、前記貫通孔の内面との間に隙間を形成するように支持され、
前記建物壁に固定される固定部と、前記配線・配管材支持具を保持する保持部と、を有する固定部材が前記建物壁に固定され、
前記配線・配管材支持具は、前記建物壁から離間した位置で前記固定部材の保持部に保持されている
ことを特徴とする壁貫通箇所の配線・配管材固定構造。
【請求項２】
前記配線・配管材支持具は、
底壁と、該底壁から立設する一対の側壁と、該各側壁の先端側が互いに対向する側壁側に折り返されたリップ部と、該リップ部間に形成された開口部と、を有するＣ型鋼と、
該Ｃ型鋼に取着された配線・配管材支持部材と、
からなり、
前記Ｃ型鋼は、前記建物壁の貫通孔を横切るように配置されていることを特徴とする請求項１に記載の壁貫通箇所の配線・配管材固定構造。
【請求項３】
建物壁に形成された貫通孔から配線・配管材が引き出され、
引き出された前記配線・配管材は、配線・配管材支持部材により、前記貫通孔の内面との間に隙間を形成するように支持され、
前記配線・配管材支持部材は、底壁と、該底壁から立設する一対の側壁と、該各側壁の先端側が互いに対向する側壁側に折り返されたリップ部と、該リップ部間に形成された開口部と、を有し前記建物壁の貫通孔を横切るように配置されたＣ型鋼に取着され、
前記建物壁に固定される固定部と、前記Ｃ型鋼を保持する保持部と、を有する固定部材が前記建物壁に固定され、
前記Ｃ型鋼は、前記建物壁から離間した位置で前記固定部材の保持部に保持されていることを特徴とする壁貫通箇所の配線・配管材固定構造。
【請求項４】
前記貫通孔の内面と前記配線・配管材の外面との間に充填材が充填され、
前記配線・配管材支持具または前記Ｃ型鋼と前記建物壁とは、前記充填される充填材を前記貫通孔内に挿入可能な大きさで離間していることを特徴とする請求項１乃至請求項３のいずれかに記載の壁貫通箇所の配線・配管材固定構造。
【請求項５】
底壁と、該底壁から立設する一対の側壁と、該各側壁の先端側が互いに対向する側壁側に折り返されたリップ部と、該リップ部間に形成された開口部と、を有するＣ型鋼を、建物壁に固定するＣ型鋼固定部材であって、
前記建物壁に固定される固定部と、前記建物壁から離間した位置で前記Ｃ型鋼を保持する保持部と、を有することを特徴とするＣ型鋼固定部材。
【請求項６】
前記保持部は、前記Ｃ型鋼の開口部内に挿入される挿入部を有し、該挿入部には前記Ｃ型鋼のリップ部に係止して吊持する吊持部が形成され、該吊持部が前記リップ部に係止した状態で前記Ｃ型鋼の長手方向に沿って移動可能であるとともに、前記移動を規制する移動規制手段を備えたことを特徴とする請求項５に記載のＣ型鋼固定部材。
【請求項７】
前記保持部は、前記Ｃ型鋼の両側壁及び底壁の外面に沿う凹部を有し、該凹部内に配置された前記Ｃ型鋼に対してその長手方向に移動するのを規制する移動規制手段と、前記凹部の開口から前記Ｃ型鋼が離脱するのを防止する離脱防止手段と、を備えたことを特徴とする請求項５に記載のＣ型鋼固定部材。
【請求項８】
前記固定部は、前記保持部に保持された前記Ｃ型鋼の開口部より反底壁側に位置して前記建物壁に固定されることを特徴とする請求項５乃至請求７のいずれかに記載のＣ型鋼固定部材。
【請求項９】
前記固定部は、前記建物壁に当接する当接面を有する板状に形成され、
前記保持部は、前記固定部から屈曲形成された壁離間部を経た先に設けられていることを特徴とする請求項５乃至請求８のいずれかに記載のＣ型鋼固定部材。
【請求項１０】
建物壁に形成された貫通孔から壁表側へと配線・配管材を引き出し、
前記建物壁から離間した位置で該建物壁に固定された配線・配管材支持具により、引き出された前記配線・配管材を、その外面と前記貫通孔の内面との間に隙間が形成されるように壁表側で支持し、
少なくとも前記配線・配管材支持具と前記建物壁との間から、前記貫通孔の内面と前記配線・配管材の外面との隙間に充填材を充填して該隙間を閉塞する
ことを特徴とする壁貫通箇所への配線・配管材の配設方法。
【請求項１１】
建物壁に形成された貫通孔から壁表側へと配線・配管材を引き出し、
前記建物壁から離間した位置で該建物壁に固定されたＣ型鋼に取着された配線・配管材支持部材により、引き出された前記配線・配管材を、その外面と前記貫通孔の内面との間に隙間が形成されるように壁表側で支持し、
少なくとも前記Ｃ型鋼と前記建物壁との間から、前記貫通孔の内面と前記配線・配管材の外面との隙間に充填材を充填して該隙間を閉塞する
ことを特徴とする壁貫通箇所への配線・配管材の配設方法。
【発明の詳細な説明】
【技術分野】
【０００１】
本発明は、建物壁に形成された貫通孔から引き出された配線・配管材を支持する壁貫通箇所の配線・配管材固定構造、Ｃ型鋼固定部材、及び壁貫通箇所への配線・配管材の配設方法に関するものである。
【背景技術】
【０００２】
二重壁等の建物壁に形成された貫通孔から室内に引き出されたケーブル等の配線材、電線管、給水管、給湯管等の配管材などの配線・配管材は、例えば、特許文献１に記載のような吊ボルトを使用してこれに支持させていた。すなわち、天井に予めインサートを埋め込んだりアンカーを打ち込むなどして天井から吊ボルトを吊り下げ、吊ボルトの下端に締付バンド等の支持具を取り付け、配線・配管材が引き出される壁際でその支持具に配線・配管材を支持させていた。
【先行技術文献】
【特許文献】
【０００３】
【特許文献１】特開２０１４−２２２０７４号公報
【発明の概要】
【発明が解決しようとする課題】
【０００４】
しかし、建物壁の貫通孔から引き出された配線・配管材を支持するとき、壁際でインサートを埋め込んだりアンカーを打ち込んで吊ボルトを吊り下げる必要があるため、大変面倒な作業となっていた。
【０００５】
そこで、本発明は、建物壁の貫通孔から引き出された配線・配管材を壁貫通箇所において簡単に支持固定できる壁貫通箇所の配線・配管材固定構造、Ｃ型鋼固定部材、及び壁貫通箇所への配線・配管材の配設方法の提供を課題とするものである。
【課題を解決するための手段】
【０００６】
請求項１の壁貫通箇所の配線・配管材固定構造は、
建物壁に形成された貫通孔から配線・配管材が引き出され、
引き出された前記配線・配管材は、配線・配管材支持具により、前記貫通孔の内面との間に隙間を形成するように支持され、
前記建物壁に固定される固定部と、前記配線・配管材支持具を保持する保持部と、を有する固定部材が前記建物壁に固定され、
前記配線・配管材支持具は、前記建物壁から離間した位置で前記固定部材の保持部に保持されたものである。
請求項１の壁貫通箇所の配線・配管材固定構造は、配線・配管材支持具が、底壁と、該底壁から立設する一対の側壁と、該各側壁の先端側が互いに対向する側壁側に折り返されたリップ部と、該リップ部間に形成された開口部と、を有するＣ型鋼と、該Ｃ型鋼に取着された配線・配管材支持部材と、からなり、前記Ｃ型鋼は、前記建物壁の貫通孔を横切るように配置されたものとすることもできる。
【０００７】
請求項３の壁貫通箇所の配線・配管材固定構造は、
建物壁に形成された貫通孔から配線・配管材が引き出され、
引き出された前記配線・配管材は、配線・配管材支持部材により、前記貫通孔の内面との間に隙間を形成するように支持され、
前記配線・配管材支持部材は、底壁と、該底壁から立設する一対の側壁と、該各側壁の先端側が互いに対向する側壁側に折り返されたリップ部と、該リップ部間に形成された開口部と、を有して前記建物壁の貫通孔を横切るように配置されたＣ型鋼に取着され、
前記建物壁に固定される固定部と、前記Ｃ型鋼を保持する保持部と、を有する固定部材が前記建物壁に固定され、
前記Ｃ型鋼は、前記建物壁から離間した位置で前記固定部材の保持部に保持されたものである。
請求項１乃至請求項３の壁貫通箇所の配線・配管材固定構造は、貫通孔の内面と配線・配管材の外面との間に充填材が充填され、前記配線・配管材支持具または前記Ｃ型鋼と前記建物壁とは、前記充填される充填材を前記貫通孔内に挿入可能な大きさで離間しているものとすることもできる。
【０００８】
請求項５のＣ型鋼固定部材は、
底壁と、該底壁から立設する一対の側壁と、該各側壁の先端側が互いに対向する側壁側に折り返されたリップ部と、該リップ部間に形成された開口部と、を有するＣ型鋼を、建物壁に固定するものであって、
前記建物壁に固定される固定部と、前記建物壁から離間した位置で前記Ｃ型鋼を保持する保持部と、を有するものである。
【０００９】
請求項５のＣ型鋼固定部材は、保持部が、Ｃ型鋼の開口部内に挿入される挿入部を有し、該挿入部には前記Ｃ型鋼のリップ部に係止して吊持する吊持部が形成され、該吊持部が前記リップ部に係止した状態で前記Ｃ型鋼の長手方向に沿って移動可能であるとともに、前記移動を規制する移動規制手段を備えたものとすることもできる。
また、請求項５のＣ型鋼固定部材は、保持部が、前記Ｃ型鋼の両側壁及び底壁の外面に沿う凹部を有し、該凹部内に配置された前記Ｃ型鋼に対してその長手方向に移動するのを規制する移動規制手段と、前記凹部の開口から前記Ｃ型鋼が離脱するのを防止する離脱防止手段と、を備えたものとすることもできる。
更に、請求項５のＣ型鋼固定部材は、固定部が、保持部に保持された前記Ｃ型鋼の開口部より反底壁側に位置して前記建物壁に固定されるものとすることもできる。
そして、請求項５のＣ型鋼固定部材は、固定部が、前記建物壁に当接する当接面を有する板状に形成され、保持部は、前記固定部から屈曲形成された壁離間部を経た先に設けられたものとすることもできる。
【００１０】
請求項１０の壁貫通箇所への配線・配管材の配設方法は、
建物壁に形成された貫通孔から壁表側へと配線・配管材を引き出し、
前記建物壁から離間した位置で該建物壁に固定された配線・配管材支持具により、引き出された前記配線・配管材を、その外面と前記貫通孔の内面との間に隙間が形成されるように壁表側で支持し、
少なくとも前記配線・配管材支持具と前記建物壁との間から、前記貫通孔の内面と前記配線・配管材の外面との隙間に充填材を充填して該隙間を閉塞するものである。
【００１１】
請求項１１の壁貫通箇所への配線・配管材の配設方法は、
建物壁に形成された貫通孔から壁表側へと配線・配管材を引き出し、
前記建物壁から離間した位置で該建物壁に固定されたＣ型鋼に取着された配線・配管材支持部材により、引き出された前記配線・配管材を、その外面と前記貫通孔の内面との間に隙間が形成されるように壁表側で支持し、
少なくとも前記Ｃ型鋼と前記建物壁との間から、前記貫通孔の内面と前記配線・配管材の外面との隙間に充填材を充填して該隙間を閉塞するものである。
【発明の効果】
【００１２】
本発明は、固定部材が建物壁に固定され、固定部材の保持部に配線・配管材支持具あるいはＣ型鋼が保持され、配線・配管材支持具あるいは配線・配管材支持部材に配線・配管材が支持され、建物壁に固定される構成となっているから、従来のように天井にインサートを埋め込んだりアンカーを打ち込んで吊ボルトを設置したりする必要はなく、建物壁の貫通孔から引き出された配線・配管材を簡単に支持固定することができる。
【００１３】
また、配線・配管材支持具あるいはＣ型鋼は、建物壁から離間した位置で固定部材の保持部に保持されているから、これらの配線・配管材支持具等と建物壁との間から、貫通孔の内面と配線・配管材の外面との隙間に充填材を充填して該隙間を閉塞する作業を行なうことができる。
【図面の簡単な説明】
【００１４】
【図１】本発明の実施形態の配線・配管材固定構造を示す斜視図である。
【図２】図１の配線・配管材支持具の斜視図である。
【図３】図１の固定部材の斜視図である。
【図４】本発明の実施形態により配線・配管材を壁貫通箇所に配設する方法を説明する斜視図である。
【図５】本発明の実施形態により配線・配管材を壁貫通箇所に配設する方法を説明する、(a)は斜視図、(b)は側面図である。
【図６】本発明の実施形態により配線・配管材を壁貫通箇所に配設する方法を説明する、(a)は斜視図、(b)は要部側面図である。
【図７】本発明の実施形態により配線・配管材を壁貫通箇所に配設する方法を説明する、(a)は正面図、(b)は(a)のＡ−Ａ切断線による断面図である。
【図８】本発明の実施形態により配線・配管材を壁貫通箇所に配設する方法を説明する、(a)は斜視図、(b)は正面図である。
【図９】本発明の実施形態により配線・配管材を壁貫通箇所に配設する方法を説明する要部断面図である。
【図１０】本発明の実施形態により配線・配管材を壁貫通箇所に配設する方法を説明する要部断面図である。
【図１１】図１の別の固定部材を示し、(a)は斜視図、(b)は側面図である。
【図１２】図１のＣ型鋼に図１１の固定部材を取り付けた状態を示し、(a)はＣ型鋼の開口部側から見た斜視図、(b)はＣ型鋼の底壁側から見た斜視図である。
【発明を実施するための形態】
【００１５】
以下、本発明の実施形態の壁貫通箇所の配線・配管材固定構造、Ｃ型鋼固定部材、及び壁貫通箇所への配線・配管材の配設方法を図に基づいて説明する。
壁貫通箇所の配線・配管材固定構造（以下、単に「配線・配管材固定構造」という。）は、建物壁に形成された貫通孔から配線・配管材が引き出され、引き出された配線・配管材は、配線・配管材支持具により、貫通孔の内面との間に隙間を形成するように支持され、建物壁に固定される固定部と、配線・配管材支持具を保持する保持部と、を有する固定部材が建物壁に固定されている。そして、配線・配管材支持具は、建物壁から離間した位置で固定部材の保持部に保持される構成となっている。なお、本実施形態では、配線・配管材として、樹脂製あるいは鋼製のスリーブ状の電線管を例示する。また、建物壁は、防火区画壁であり、貫通孔の内面と配線・配管材の外面との間に耐熱パテあるいは熱膨張性耐火部材等の充填材が充填されるものを例示する。以下、各構成部材について詳細に説明する。
【００１６】
まず、図１に示す配線・配管材固定構造１を構成する配線・配管材支持具（以下、単に「支持具」という。）１０は、図２に示すように、Ｃ型鋼２０と配線・配管材支持部材（以下、単に「支持部材」という。）３０とからなる。Ｃ型鋼２０は、略Ｃ字形状の一定断面の鋼製の長尺体からなり、底壁２１と、底壁２１から立設する一対の側壁２２，２２と、各側壁２２の先端側が互いに対向する側壁２２側に折り返されてなる一対のリップ部２３，２３と、一対のリップ部２３，２３間に形成された開口部２４と、を有している。
【００１７】
支持部材３０は、ダクトクリップからなり、図２に示すように、一対の同大同形状の挟持片３１，３１が左右反対称に配置されビスを使用して互いに向かい合わせに組み付けられてなる。各挟持片３１は鋼板を折り曲げて形成され、湾曲状に折り曲げられた湾曲部３２の上端に垂直上方に折り曲げられたフランジ３３が形成され、フランジ３３の中央部にはビスが挿通される挿通孔３４が設けられている。更に、湾曲部３２の下側は垂直方向の平板からなる脚板部３５が形成され、脚板部３５の下部の幅方向の両端縁部にはＣ型鋼２０のリップ部２３が嵌入可能な略コ字状の切欠空間３６が形成され、切欠空間３６の下側には水平外方に張り出してＣ型鋼２０のリップ部２３と係止する係止部３７が形成されている。湾曲部３２は、電線管６０の半径と略同一の曲率半径を有し、電線管６０を挟持したときに内面全体が電線管６０の外面に沿って当接するように形成されている。
【００１８】
支持部材３０は、一対の挟持片３１，３１をＣ型鋼２０の開口部２４内に挿入し、一対の挟持片３１，３１の間に電線管６０を挿通し、両フランジ３３の挿通孔３４にビスを挿通して締め付けることにより、Ｃ型鋼２０のリップ部２３に係止する一対の係止部３７，３７が弾性的にＣ型鋼２０の長手方向に拡開しつつリップ部２３の先端部を押し上げる方向の力が発生し、その押上力によって発生した係止部３７とリップ部２３との摩擦力により、Ｃ型鋼２０の開口部２４内を長手方向に移動するのが阻止され、Ｃ型鋼２０に対して一定箇所に弾性的に保持される。
【００１９】
固定部材４０は、Ｃ型鋼２０を建物壁７０から所定距離離間した状態で固定するための部材で鋼板からなり、図３に示すように、長尺片と短尺片とを直角に折り曲げて全体が略Ｌ字板状に形成されており、建物壁７０に固定される固定部４１と、支持具１０を保持する保持部４２と、を有している。図３において、垂直に起立している短尺片は、固定部４１を形成している。図３の水平方向の長尺片は、短尺片との屈曲部から離間する方向に所定長さの壁離間部４３が形成され、更に、壁離間部４３を超えた先端側に保持部４２が設けられている。加えて、固定部材４０は、長尺片の先端縁部すなわち保持部４２の先端部に、固定部４１とは反対側である下方に直角に折り曲げられて突出する突片４４が設けられている。なお、固定部材４０は、請求項のＣ型鋼固定部材に相当するものでもある。
【００２０】
更に詳述すれば、固定部４１は、建物壁７０に当接する当接面を有する板状に形成され、短尺片の幅方向の中央部には、上側に建物壁７０の柱７２に固定するためのビスが挿通されるビス孔４５が設けられ、下側に建物壁７０がコンクリート壁からなる場合にこれにアンカーを打ち込んで固定するためのアンカー孔４６が設けられている。なお、建物壁７０が木板や石膏ボードなどの場合は、固定部４１のビス孔４５から挿通したビスを建物壁７０のみに螺着すると壁材が崩れたりして固定部材４０を確実に建物壁７０に固定できないおそれがあるので、ビスは建物壁７０に立設された柱７２に螺着される。建物壁７０がコンクリート壁からなる場合は、柱に固定するなどの制限はない。
【００２１】
保持部４２は、Ｃ型鋼２０の開口部２４内に挿入される略逆Ｔ字板状突片からなる挿入部４７を有し、挿入部４７は、長尺片の一部をプレスにより打ち抜き、垂直下方に折り曲げることにより形成されており、長尺片の幅方向に所定長さ離間して一対設けられている。挿入部４７の下半部の両側は、Ｃ型鋼２０のリップ部２３に係止してこれを吊持する吊持部４７ａを形成している。また、挿入部４７の吊持部４７ａより少し狭小の上半部の幅は、Ｃ型鋼２０の開口部２４より僅かに小さい大きさに形成されており、これにより、吊持部４７ａがＣ型鋼２０の開口部２４の幅方向にずれてリップ部２３から外れて脱落するのが防止される。
【００２２】
前述の、保持部４２の先端部から直角下方に屈曲して突出している突片４４は、その幅方向中央に上下方向に長い長孔４４ａが設けられている。長孔４４ａは、固定部材４０がＣ型鋼２０に取り付けられた後にビスが挿通され、このビスがＣ型鋼の側壁２２に螺着されることにより、固定部材４０がＣ型鋼２０の長手方向に沿って移動するのを規制するものであり、突片４４及び長孔４４ａは、請求項の移動規制手段を構成している。これについて、逆に言えば、固定部材４０の保持部４２の挿入部４７は、ビスが長孔４４ａに挿通されＣ型鋼２０の側壁２２に螺着されるまでは、吊持部４７ａがリップ部２３に係止した状態でＣ型鋼２０の長手方向に沿って移動可能となっており、突片４４及び長孔４４ａは、Ｃ型鋼２０に対する固定部材４０の位置調整手段ともいえる。なお、移動規制手段としては長孔４４ａ及びＣ型鋼２０の側壁２２にビスを取り付けるものに限られるものではなく、他の手段で移動を規制してもよい。
【００２３】
次に、上記のように構成された本実施形態の配線・配管材固定構造１により、建物壁７０の貫通孔７１から引き出された電線管６０を支持し、壁貫通箇所に配設する方法を図４乃至図１０に基づいて説明する。
ここで、図４に示すように、建物壁７０である二重壁の間には柱７２が立設されており、建物壁７０には電線管６０より大きい孔径を有し電線管６０が貫通する貫通孔７１が設けられている。
【００２４】
まず、図５に示すように、建物壁７０の貫通孔７１の周辺に、固定部材４０を使用してＣ型鋼２０を設置する。その際、予め建物壁７０の壁面７３に上下方向に罫書き線を入れるなどして、固定部４１のビス孔４５に挿通されたビスが螺着される柱７２の水平方向における位置を壁面７３に表示させる。併せて、Ｃ型鋼２０を図７(a)に示すように壁面７３に本固定したときに、Ｃ型鋼２０が貫通孔７１をその弦の位置で水平方向に横切るよう、左右の固定部４１のビス孔４５の高さ方向における位置を水平方向の罫書き線を入れるなどして表示させる。このようにして、２本の直交する表示線を壁面７３上に表示させたら、これらの表示線の交点が、固定部４１のビス孔４５の設置点となる。ここで、貫通孔７１において、Ｃ型鋼２０が横切る弦は、図７(a)に示すように電線管６０がＣ型鋼２０の上端に載置されたときに、電線管６０の外面と貫通孔７１の内面との隙間Ｓが電線管６０の全周に至って均一となるような位置、高さに設定され、Ｃ型鋼２０の上端と貫通孔７１の最下点との間隔は、隙間Ｓと同一長となる。
【００２５】
一方で、Ｃ型鋼２０の長手方向両端部において、２つの固定部材４０の保持部４２の挿入部４７をＣ型鋼２０の長手方向側端部から開口部２４内に挿入し、固定部材４０の突片４４の長孔４４ａにビスを挿通し、ビスの先端をＣ型鋼２０の側壁２２に当接させてＣ型鋼２０に固定部材４０を仮保持させておく。
【００２６】
そこで、この仮保持状態において、図５に示すように、固定部４１のビス孔４５の設置点においてビスを挿通し、壁面７３を貫通させ、更に壁面７３の裏面側の柱７２の幅方向中央位置に螺着して、左右一対の固定部材４０，４０を壁面７３に固定する。そして、左右の固定部材４０がＣ型鋼２０の両端部に均等に配置されるよう位置決めしたら、ビスを固定部材４０の突片４４の長孔４４ａに挿通し、Ｃ型鋼２０の側壁２２に螺着して本締めする。この状態において、Ｃ型鋼２０と建物壁７０とは、固定部材４０の壁離間部４３の長さ分だけ離間する。また、固定部材４０の固定部４１は、保持部４２に保持されたＣ型鋼２０の開口部２４より反底壁２１側すなわち開口部２４より上方に位置する。
【００２７】
次に、電線管６０を貫通孔７１に貫通させて壁表に引き出し、Ｃ型鋼２０上に載置する。電線管６０をＣ型鋼２０に載置した状態を図６及び図７に示す。
【００２８】
電線管６０をＣ型鋼２０に載置したら、図８及び図９に示すように、支持部材３０を用いて電線管６０をＣ型鋼２０に固定する。それには、支持部材３０の一対の挟持片３１，３１の脚板部３５，３５をリップ部２３と平行する状態でＣ型鋼２０の開口部２４内に挿入し、その後、水平方向に回動して９０度向きを変えて切欠空間３６内にリップ部２３を嵌入し、係止部３７をリップ部２３に係止させる。そして、一対の挟持片３１，３１のフランジ３３，３３の挿通孔３４，３４にビスを挿通して締め付けることにより、電線管６０をこれら一対の挟持片３１，３１とＣ型鋼２０とで挟持して固定する。
【００２９】
このようにして、支持具１０及び固定部材４０によって電線管６０を支持固定したら、図１０に示すように、貫通孔７１の内面と電線管６０の外面との隙間Ｓに耐熱パテ、熱膨張性耐火部材等の充填材８０を充填し隙間Ｓを閉塞する。充填材８０はコーキングチューブを直接あるいはコーキングガンなどの工具を使用して挿入する。このとき、充填材８０は作業性の点から上方から貫通孔７１の隙間Ｓに充填される。一方で、Ｃ型鋼２０の裏側部分、奥側部分にある貫通孔７１の下方部分については、Ｃ型鋼２０と建物壁７０との間が固定部材４０の壁離間部４３の長さ分だけ離間し、充填材８０を貫通孔７１内の隙間Ｓに挿入可能な大きさで離間しているから、その離間している部分の空間Ｔを利用して貫通孔７１の隙間Ｓに充填材８０を充填することができる。なお、貫通孔７１の設置箇所により、下方から隙間Ｓ内に充填する必要がある場合は、Ｃ型鋼２０と建物壁７０との間の空間Ｔのみを利用して貫通孔７１の隙間Ｓの全体を充填することもできる。いずれにしても、充填材８０は、少なくともＣ型鋼２０と建物壁７０との間の空間Ｔが利用されて挿入される。
【００３０】
なお、上記手順において、電線管６０は、図６及び図７において、Ｃ型鋼２０及び固定部材４０を建物壁７０に設置する前に、建物壁７０の貫通孔７１に貫通させて壁表に引き出し、Ｃ型鋼２０に載置し、支持部材３０を用いてＣ型鋼２０に固定し、その後、Ｃ型鋼２０を固定部材４０を介して建物壁７０に設置してもよく、その手順の前後は問わない。
【００３１】
次に、本実施形態の配線・配管材固定構造１及び固定部材４０の作用を説明する。
本実施形態の配線・配管材固定構造１は、固定部材４０が建物壁７０に固定され、固定部材４０の保持部４２にＣ型鋼２０が保持され、支持部材３０によって電線管６０がＣ型鋼２０上に支持されて、建物壁７０に固定される構造となっているから、従来のように天井にインサートを埋め込んだりアンカーを打ち込んで吊ボルトを設置するなどして電線管６０を支持し固定する必要はなく、建物壁７０の貫通孔７１から引き出された電線管６０を簡単に支持固定することができ、作業し易い。
【００３２】
また、貫通孔７１の内面と電線管６０の外面との隙間Ｓに充填材８０を充填して該隙間Ｓを閉塞するとき、Ｃ型鋼２０が建物壁７０の壁面７３及び貫通孔７１に密接した状態で固定されていると、Ｃ型鋼２０が貫通孔７１の一部を覆い隠すために、Ｃ型鋼２０の裏側部分すなわち貫通孔７１の下方部分においては、貫通孔７１の内面と電線管６０の外面との隙間Ｓに充填材８０を充填しにくい。しかし、本発明の配線・配管材固定構造１のＣ型鋼２０は、建物壁７０から空間Ｔだけ離間した位置で固定部材４０の保持部４２により保持されているから、その空間Ｔからコーキングチューブやコーキングガンなどを挿入して貫通孔７１内の隙間Ｓに円滑かつ確実に充填材８０を充填し、隙間Ｓを閉塞することができる。
【００３３】
更に、固定部材４０は、移動規制手段によりビスがＣ型鋼２０の側壁２２に締め付けられるまでは仮保持されるので、両固定部材４０，４０を仮保持させることで、Ｃ型鋼２０を把持した状態で固定部材４０をビス止めでき、Ｃ型鋼２０が長くてもその作業を行ない易い。
【００３４】
加えて、両固定部材４０，４０を仮保持させた状態で、一方の固定部材４０を壁裏の柱７２に固定した後、他方の固定部材４０を壁裏の別の柱７２の位置に合うようにＣ型鋼２０の開口部２４に沿って移動させて固定することができるから、両固定部材４０，４０は、壁裏の柱７２の間隔に柔軟に対応して固定することができる。
【００３５】
次に、配線・配管材固定構造１に用いられる別の固定部材を図１１及び図１２に示す。
図１１に示す固定部材５０は、１枚の短冊状の鋼板を折り曲げて形成されており、コ字板状に屈曲されたコ字板部５１と、コ字板部５１の開口の一端側から図１１(b)の水平側方に突出した水平板部５２と、水平板部５２のコ字板部５１とは反対側の端部から９０度屈曲して図１１(b)の垂直上方に立設する垂直板部５３とが形成され、コ字板部５１においてＣ型鋼２０の外回りに取り付けられるものである。垂直板部５３は建物壁７０に固定される固定部５４を形成し、その中央にはビスが挿通されるビス孔５４ａが設けられている。水平板部５２はＣ型鋼２０と建物壁７０とを所定長さで離間する壁離間部５５を形成している。
【００３６】
更に、コ字板部５１は、Ｃ型鋼２０を保持する保持部５６を形成しており、換言すれば、保持部５６は、Ｃ型鋼２０の両側壁２２及び底壁２１の外面に沿う凹部５７を有している。コ字板部５１の固定部５４側の側板には、中央部のコ字状の切り込みを切り起こして水平板部５２の壁離間部５５と平行して建物壁７０側に突出し、建物壁７０と当接して突張る突っかい片５１ａが突設されている。保持部５６は、また、コ字板部５１において固定部５４とは反対側の側板の中央部にビス挿通孔５８を備えている。このビス挿通孔５８は、凹部５７内に配置されたＣ型鋼２０に対してその長手方向に固定部材５０が移動するのを規制する移動規制手段を構成し、Ｃ型鋼２０に対する固定部材５０の位置を調整する手段となっている。更に、保持部５６は、コ字板部５１の両側板の先端部が互いに対向するように開口側に折り曲げられて、Ｃ型鋼２０のリップ部２３の上端部に係止する一対の係止突起５９，５９を備えており、これらの係止突起５９，５９は、凹部５７の開口からＣ型鋼２０が離脱するのを防止する離脱防止手段を構成している。この固定部材５０も前述の固定部材４０と同様に作用する。なお、この固定部材５０も、請求項のＣ型鋼固定部材に相当するものでもある。
【００３７】
ところで、上記実施形態の固定部材４０及び５０は、建物壁７０の貫通孔７１の内面と電線管６０の外面との隙間Ｓが全周に至って略均一となるような位置で壁面７３に固定されるが、必ずしも隙間Ｓが略均一となるように固定する必要はなく、電線管６０が貫通孔７１内でいずれか側に偏心した状態で壁面７３に固定してもよい。但し、充填材８０の充填等を考慮すれば、貫通孔７１の内面と電線管６０の外面との隙間Ｓは略均一であるのが望ましい。
【００３８】
また、上記実施形態では、建物壁７０として、防火区画壁を例示し、貫通孔７１の内面と電線管６０の外面との隙間Ｓに耐熱パテあるいは熱膨張性耐火部材等の充填材８０を充填しているが、本発明を実施する場合は、建物壁７０は、防火区画壁以外の壁であってもよく、その場合は、貫通孔７１の内面と電線管６０の外面との隙間Ｓには通常のパテ等の充填材が充填される。あるいは、本発明の配線・配管材固定構造１は、これらの充填材が充填されないものとしてもよい。
【００３９】
更に、上記実施形態の各固定部材は、図３、図１１に示したもの限られるものではなく、Ｃ型鋼を建物壁７０から所定距離離間した位置で固定できる任意の形状、形態のものを採用し得る。
また、上記実施形態の支持部材３０は、一対の挟持片３２，３２を備えたダクトクリップを用いているが、サドルなど他の部材を使用して電線管６０を支持してもよい。
【００４０】
本実施形態の配線・配管材固定構造は、建物壁７０の貫通孔７１から引き出される配線・配管材として電線管６０を例示しているが、本発明は、他のケーブル等の配線材、給水管、給湯管等の配管材にも同様に適用することができる。
【符号の説明】
【００４１】
１  配線・配管材固定構造              ４４ａ  長孔（移動規制手段）
１０  支持具                          ４７  挿入部
２０  Ｃ型鋼                          ４７ａ  吊持部
２１  底壁                            ５７  凹部
２２  側壁                            ５８  ビス挿通孔（移動規制手段）
２３  リップ部                        ５９  係止突起（離脱防止手段）
２４  開口部                          ６０  電線管（配線・配管材）
３０  支持部材                        ７０  建物壁
４０、５０  固定部材                  ７１  貫通孔
４１、５４  固定部                    ８０  充填材
４２、５６  保持部                    Ｓ  隙間（電線管と貫通孔との隙間）
４３、５５  壁離間部                  Ｔ  空間（Ｃ型鋼と建物壁との間の空間）
４４  突片（移動規制手段）
【図１】
2019039517.tif 000003
【図２】
2019039517.tif 000004
【図３】
2019039517.tif 000005
【図４】
2019039517.tif 000006
【図５】
2019039517.tif 000007
【図６】
2019039517.tif 000008
【図７】
2019039517.tif 000009
【図８】
2019039517.tif 000010
【図９】
2019039517.tif 000011
【図１０】
2019039517.tif 000012
【図１１】
2019039517.tif 000013
【図１２】
2019039517.tif 000014